(57)【要約】【課題】主に自動車の車室内の各種電子機器等の操作に用いられる操作体、及びこれを用いたスイッチ装置に関し、加飾体の破損を防ぎ、確実な操作が可能なものを提供することを目的とする。【解決手段】略リング状で金属めっきされた加飾体１２側壁の係止孔１２Ａまたは係止爪近傍に、切込溝１２Ｂまたは挿通孔を設けて操作体１３を構成することで、加飾体１２を可動体１の操作部１Ａに装着する際、切込溝１２Ｂや挿通孔によって、小さな力で加飾体１２の内壁部１２Ｃが弾性変形して装着が行えるため、金属めっきの割れやひびを防ぎ、確実な操作が可能な操作体及びこれを用いたスイッチ装置を得ることができる。【選択図】図１
2015090828.tif 000002
【特許請求の範囲】
【請求項１】
操作部外周に係止爪または係止孔が形成された可動体と、この可動体の操作部外周に内周の係止孔または係止爪によって装着される、略リング状で金属めっきされた加飾体からなり、上記加飾体の側壁の係止孔または係止爪近傍に、切込溝または挿通孔を設けた操作体。
【請求項２】
請求項１記載の操作体を、略箱状のケースに操作可能に装着すると共に、上記操作体の操作に応じて電気的接離を行うスイッチ接点を設けたスイッチ装置。
【発明の詳細な説明】
【技術分野】
【０００１】
本発明は、主に自動車の車室内の各種電子機器等の操作に使用される操作体、及びこれを用いたスイッチ装置に関するものである。
【背景技術】
【０００２】
近年、自動車内のステアリングホイールやインストルメントパネル等に、様々な操作方式のスイッチ装置を装着し、これによって車室内の音響機器や空調機器等の各種電子機器の操作を行うものが増えている。
【０００３】
このような従来のスイッチ装置について、図６及び図７を用いて説明する。
【０００４】
図６は従来のスイッチ装置の断面図であり、同図において、１は絶縁樹脂製の可動体で、上面には上方へ突出する操作部１Ａが設けられると共に、この操作部１Ａ外周には外方へ突出する係止爪１Ｂが形成されている。
【０００５】
また、２は略リング状で絶縁樹脂製の加飾体で、全面に光沢のある金属めっきが施されると共に、図７の背面視部分斜視図に示すように、内周には係止孔２Ａが設けられ、この係止孔２Ａ内に係止爪１Ｂが挿入されることで、操作部１Ａ外周に加飾体２が装着されて、操作体３が形成されている。
【０００６】
なお、このような装飾用の加飾体２を操作部１Ａに装着する場合には、操作部１Ａ上方から加飾体２内周を、操作部１Ａ外周に沿わせて押圧し、加飾体２の側壁を外方へ弾性変形させて、係止孔２Ａ内に係止爪１Ｂを挿入して、操作体３の組立てが行われる。
【０００７】
そして、４は略箱状で下面開口の絶縁樹脂製のケースで、上面の筒部内壁には内方へ突出する一対の軸部４Ａが設けられると共に、この軸部４Ａが可動体１の一対の軸孔１Ｃに挿入されることで、操作体３がケース４に揺動可能に装着されている。
【０００８】
さらに、５は上下面に複数の配線パターン（図示せず）が形成された配線基板で、上面には複数のプッシュスイッチ６が実装されて、複数のスイッチ接点が形成されている。
【０００９】
また、７は絶縁樹脂製の押圧ピンで、複数の押圧ピン７がケース４に上下動可能に装着されると共に、押圧ピン７上面には可動体１下面左右の下方へ突出する一対の押圧部１Ｄが、下面にはプッシュスイッチ６の上方へ突出した操作軸６Ａが弾接している。
【００１０】
さらに、８は絶縁樹脂製のカバーで、このカバー８がケース４や配線基板５を覆うと共に、上面の開口孔から操作部１Ａ外周に加飾体２が装着された操作体３上端が突出して、スイッチ装置が構成されている。
【００１１】
そして、このように構成されたスイッチ装置が、操作体３上端を手前にして車室内の、例えばステアリングホイールのスポーク（図示せず）等に取付けられて、自動車に装着されると共に、複数のプッシュスイッチ６が配線パターンやリード線（図示せず）等を介して、車両の電子回路（図示せず）に電気的に接続される。
【００１２】
以上の構成において、操作体３を指で揺動操作すると、操作体３が軸部４Ａを支点として左右方向へ揺動し、下面の押圧部１Ｄが押圧ピン７上面を押圧して、押圧ピン７が下方向へ移動する。
【００１３】
そして、押圧ピン７下面が操作軸６Ａを押圧して、プッシュスイッチ６の電気的接離が行われ、この電気信号が車両の電子回路へ出力されて、例えば、車室内のオーディオの音量やエアコンの温度の増減等の操作が行われる。
【００１４】
つまり、ステアリングホイールやインストルメントパネル等の、運転者の手の届く箇所にスイッチ装置を配置し、この装飾用の加飾体２が装着された操作体３を揺動操作することによって、車両内の様々な機器の操作が行えるように構成されているものであった。
【００１５】
なお、この出願の発明に関連する先行技術文献情報としては、例えば、特許文献１が知られている。
【先行技術文献】
【特許文献】
【００１６】
【特許文献１】特開２０１１−１５４８５１号公報
【発明の概要】
【発明が解決しようとする課題】
【００１７】
しかしながら、上記従来のスイッチ装置においては、装飾用の加飾体２を操作部１Ａに装着する際、略リング状の加飾体２を押圧し側壁を外方へ弾性変形させて、操作部１Ａへの装着が行われるが、加飾体２には装飾用として全面に光沢のある金属めっきが施されているため、上面に加え側面も可視範囲である加飾体２の、金属めっきに割れやひびが生じ、装飾性が損なわれてしまう場合があるという課題があった。
【００１８】
本発明は、このような従来の課題を解決するものであり、加飾体の破損を防ぎ、確実な操作が可能な操作体及びこれを用いたスイッチ装置を提供することを目的とする。
【課題を解決するための手段】
【００１９】
上記目的を達成するために本発明は、略リング状で金属めっきされた加飾体の側壁の係止孔または係止爪近傍に、切込溝または挿通孔を設けて操作体を構成したものであり、加飾体を可動体の操作部に装着する際、切込溝または挿通孔によって、小さな力で加飾体の内壁部が弾性変形して装着が行えるため、金属めっきの割れやひびを防ぎ、確実な操作が可能な操作体及びこれを用いたスイッチ装置を得ることができるという作用を有するものである。
【発明の効果】
【００２０】
以上のように本発明によれば、加飾体の破損を防ぎ、確実な操作が可能な操作体及びこれを用いたスイッチ装置を実現することができるという有利な効果が得られる。
【図面の簡単な説明】
【００２１】
【図１】本発明の一実施の形態によるスイッチ装置の断面図
【図２】同分解斜視図
【図３】同部分断面図
【図４】同背面視部分斜視図
【図５】同他の実施の形態による部分断面図
【図６】従来のスイッチ装置の断面図
【図７】同背面視部分斜視図
【発明を実施するための形態】
【００２２】
以下、本発明の実施の形態について、図１〜図５を用いて説明する。
【００２３】
なお、背景技術の項で説明した構成と同一構成の部分には同一符号を付して、詳細な説明を簡略化する。
【００２４】
（実施の形態）
図１は本発明の一実施の形態によるスイッチ装置の断面図、図２は同分解斜視図であり、同図において、１はポリカーボネートやＡＢＳ等の絶縁樹脂製の可動体で、上面には上方へ突出する操作部１Ａが設けられると共に、この操作部１Ａ外周には外方へ突出する係止爪１Ｂが形成されている。
【００２５】
また、１２は略リング状でＡＢＳ等の絶縁樹脂製の加飾体で、全面には銅やニッケル等の下地の上に、クロム等の光沢のある金属めっきが施されると共に、内周には係止孔１２Ａが設けられている。
【００２６】
そして、図３の部分断面図や図４の背面視部分斜視図に示すように、加飾体１２側壁の係止孔１２Ａ近傍には、上下方向に延出する切込溝１２Ｂが設けられると共に、係止孔１２Ａ内に係止爪１Ｂが挿入され、操作部１Ａ外周に加飾体１２が装着されて、操作体１３が形成されている。
【００２７】
なお、このような装飾用の加飾体１２を操作部１Ａに装着する場合には、操作部１Ａ上方から加飾体１２内周を、操作部１Ａ外周に沿わせて押圧し、加飾体１２の側壁を外方へ弾性変形させて、係止孔１２Ａ内への係止爪１Ｂの挿入が行われるが、この時、加飾体１２の側壁には切込溝１２Ｂが形成され、薄肉状の内壁部１２Ｃが弾性変形して装着が行われるため、比較的小さな力で操作体１３の組立てを行えるようになっている。
【００２８】
そして、４は略箱状で下面開口のＡＢＳやポリブチレンテレフタレート等の絶縁樹脂製のケースで、上面の筒部内壁には内方へ突出する一対の軸部４Ａが設けられると共に、この軸部４Ａが可動体１の一対の軸孔１Ｃに挿入されることで、操作体１３がケース４に揺動可能に装着されている。
【００２９】
さらに、５は紙フェノールやガラス入りエポキシ等の配線基板で、上下面には銅箔等によって複数の配線パターン（図示せず）が形成されると共に、上面には銅合金等の導電金属薄板製の可動接点（図示せず）等が収納された複数のプッシュスイッチ６が実装されて、複数のスイッチ接点が形成されている。
【００３０】
また、７はポリオキシメチレンやポリブチレンテレフタレート等の絶縁樹脂製の押圧ピンで、複数の押圧ピン７がケース４に上下動可能に装着されると共に、押圧ピン７上面には可動体１下面左右の下方へ突出する一対の押圧部１Ｄが、下面にはプッシュスイッチ６の上方へ突出した操作軸６Ａが弾接している。
【００３１】
さらに、８はＡＢＳ等の絶縁樹脂製のカバーで、このカバー８がケース４や配線基板５を覆うと共に、カバー８上面の開口孔から、操作部１Ａ外周に加飾体１２が装着された操作体１３上端が突出して、スイッチ装置が構成されている。
【００３２】
そして、このように構成されたスイッチ装置が、操作体１３上端を手前にして車室内の、例えばステアリングホイールのスポーク（図示せず）等に取付けられて、自動車に装着されると共に、複数のプッシュスイッチ６が配線パターンやリード線（図示せず）等を介して、車両の電子回路（図示せず）に電気的に接続される。
【００３３】
以上の構成において、操作体１３を指で揺動操作すると、操作体１３が軸部４Ａを支点として左右方向へ揺動し、下面の押圧部１Ｄが押圧ピン７上面を押圧して、押圧ピン７が下方向へ移動する。
【００３４】
そして、押圧ピン７下面が操作軸６Ａを押圧して、プッシュスイッチ６の電気的接離が行われ、この電気信号が車両の電子回路へ出力されて、例えば、車室内のオーディオの音量やエアコンの温度の増減等の操作が行われる。
【００３５】
つまり、ステアリングホイールやインストルメントパネル等の、運転者の手の届く箇所にスイッチ装置を配置し、この装飾用の加飾体１２が装着された操作体１３を揺動操作することによって、車両内の様々な機器の操作が行えるように構成されている。
【００３６】
そして、本発明においては、略リング状で金属めっきされた加飾体１２の側壁の係止孔１２Ａ近傍に、上下方向に延出する切込溝１２Ｂが設けられて操作体１３が形成されているため、加飾体１２を可動体１の操作部１Ａに装着する際に、加飾体１２全面の金属めっきに割れやひび等が生じることを防ぎ、装飾性が損なわれることのないようになっている。
【００３７】
すなわち、加飾体１２を可動体１の操作部１Ａに装着する際、加飾体１２側壁の係止孔１２Ａ近傍には切込溝１２Ｂが形成されているため、薄肉状の内壁部１２Ｃが比較的小さな力で弾性変形して操作部１Ａへの装着が行われ、加飾体１２の金属めっきに割れやひび等が生じづらいように構成されている。
【００３８】
また、万が一、内壁部１２Ｃの金属めっきに割れやひび等が生じたとしても、加飾体１２を操作部１Ａに装着した操作体１３の状態では、加飾体１２上面や側面の可視範囲にはこれらが見えないため、装飾性を損なうことのないようになっている。
【００３９】
さらに、比較的小さな力で加飾体１２の内壁部１２Ｃが弾性変形して、加飾体１２の操作部１Ａへの装着が行われることによって、装着時の操作部１Ａ外周の係止爪１Ｂの磨耗や削れ等を防ぐことができるため、操作部１Ａへの加飾体１２の確実な保持と操作が可能なように構成されている。
【００４０】
そして、このように比較的小さな力で、加飾体１２や係止爪１Ｂに破損のない状態で、操作体１３の組立てが行えるため、いったん加飾体１２を操作部１Ａへ装着した後、これを取外し、再度組立てを行うことも可能となる。
【００４１】
なお、以上の説明では、加飾体１２側壁の上下方向に延出する切込溝１２Ｂの端部を、係止孔１２Ａに連結した構成について説明したが、図５（ａ）の部分断面図に示すように、延出する深さの少ない切込溝１２Ｄや、図５（ｂ）に示すように、加飾体１２の下面から上面まで貫通する挿通孔１２Ｅを設けた構成としても、本発明の実施は可能であり、このように切込溝や挿通孔を形成することで、加飾体１２を操作部１Ａへ装着する力や保持する力を、所望のものに調整することができる。
【００４２】
また、以上の説明では、操作部１Ａ外周に係止爪１Ｂを、加飾体１２内周に係止孔１２Ａを設け、これらを嵌合させて操作部１Ａに加飾体１２を装着する構成について説明したが、操作部１Ａ外周には係止孔を、加飾体１２内周には係止爪を設け、これらを嵌合させる構成としてもよい。
【００４３】
さらに、上端に加飾体１２が装着された操作体１３を揺動操作して、複数のプッシュスイッチ６の電気的接離を行う構成について説明したが、可動体の操作部外周に加飾体１２が装着された押釦等を押圧操作して、スイッチ接点の電気的接離を行うものや、操作部外周に加飾体１２が装着された可動体を回転操作して、複数のスイッチ接点の電気的接離を行うもの等、様々な操作方式のスイッチ装置においても、本発明の実施は可能である。
【００４４】
また、配線基板５上面に複数のプッシュスイッチ６を実装して、複数のスイッチ接点を形成した構成について説明したが、配線基板５上面に複数の固定接点を形成すると共に、この上方に略ドーム状で導電金属薄板製の可動接点や、下面にカーボン等の可動接点が形成されたゴム接点等を載置してスイッチ接点を形成し、これらによって複数の固定接点の電気的接離を行う構成としてもよい。
【００４５】
なお、このような機械方式のスイッチ接点のほか、磁石やホール素子を用いた磁気方式、受発光素子を用いた光方式、静電容量方式のもの等、様々なスイッチ装置に本発明の操作体を用いることも可能である。
【００４６】
このように本実施の形態によれば、略リング状で金属めっきされた加飾体１２側壁の係止孔１２Ａまたは係止爪近傍に、切込溝１２Ｂや１２Ｄまたは挿通孔１２Ｅを設けて操作体１３を構成することで、加飾体１２を可動体１の操作部１Ａに装着する際、切込溝１２Ｂや１２Ｄ、挿通孔１２Ｅによって、小さな力で加飾体１２の内壁部１２Ｃが弾性変形して装着が行えるため、金属めっきの割れやひびを防ぎ、確実な操作が可能な操作体及びこれを用いたスイッチ装置を得ることができるものである。
【産業上の利用可能性】
【００４７】
本発明による操作体及びこれを用いたスイッチ装置は、加飾体の破損を防ぎ、確実な操作が可能なものを得ることができるという有利な効果を有し、主に自動車の各種電子機器の操作用として有用である。
【符号の説明】
【００４８】
１  可動体
１Ａ  操作部
１Ｂ  係止爪
１Ｃ  軸孔
１Ｄ  押圧部
４  ケース
４Ａ  軸部
５  配線基板
６  プッシュスイッチ
６Ａ  操作軸
７  押圧ピン
８  カバー
１２  加飾体
１２Ａ  係止孔
１２Ｂ、１２Ｄ  切込溝
１２Ｃ  内壁部
１２Ｅ  挿通孔
１３  操作体
【図１】
2015090828.tif 000003
【図２】
2015090828.tif 000004
【図３】
2015090828.tif 000005
【図４】
2015090828.tif 000006
【図５】
2015090828.tif 000007
【図６】
2015090828.tif 000008
【図７】
2015090828.tif 000009